(57)【要約】【課題】正面出光輝度を向上させることが可能な導光板及びバックライトユニットを提供する。【解決手段】第１の方向に延長される第１の辺及び第２の方向に延長される第２の辺を含む上面と、前記上面と対向するように配置される下面と、前記上面と前記下面との間に互いに対向して配置される第１側面及び第２側面とを含み、前記下面は、基準面及び前記基準面から突出または陥没されて形成される複数の散乱パターンを含み、前記散乱パターンは、前記基準面と第１の角を成す第１傾斜面及び一端が前記第１傾斜面と接し、前記基準面と第２の角を成す第２傾斜面を含み、前記第１の角の角度は、１．８度〜５．７度のうちのいずれかの角度である、導光板。【選択図】図１
2015118906.tif 000002
【特許請求の範囲】
【請求項１】
第１の方向に延長される第１の辺及び第２の方向に延長される第２の辺を含む上面と、
前記上面と対向するように配置される下面と、
前記上面と前記下面との間に互いに対向して配置される第１側面及び第２側面とを含み、
前記下面は、基準面及び前記基準面から突出または陥没されて形成される複数の散乱パターンを含み、
前記散乱パターンは、前記基準面と第１の角を成す第１傾斜面及び一端が前記第１傾斜面と接し、前記基準面と第２の角を成す第２傾斜面を含み、
前記第１の角の角度は、１．８度〜５．７度のうちのいずれかの角度である、導光板。
【請求項２】
前記散乱パターンの前記下面上の形状は長軸と短軸を有する楕円形状であり、
前記長軸は前記第１の方向に延長され、前記短軸は前記第２の方向に延長される、請求項１に記載の導光板。
【請求項３】
前記第１傾斜面及び前記第２傾斜面の外周は曲線を含み、前記第１傾斜面及び前記第２傾斜面は平坦面である、請求項１に記載の導光板。
【請求項４】
前記第１傾斜面及び前記第２傾斜面は、曲面を含む、請求項１に記載の導光板。
【請求項５】
第１の方向に延長される第１の辺及び第２の方向に延長される第２の辺を含む上面と、
前記上面と対向するように配置される下面と、
前記上面と前記下面との間に互いに対向して配置される第１側面及び第２側面とを含み、
前記下面は基準面及び前記基準面から突出または陥没されて形成される複数の散乱パターンを含み、
前記散乱パターンは、基準面と第１の角を成す第１傾斜面及び一端が前記第１傾斜面と接し、前記基準面と第２の角を成す第２傾斜面を含み、
前記第１の角の角度は、１．８度〜５．７度のうちのいずれかの角度である導光板と、
前記導光板の前記第１側面と隣接するように配置される光源部と、
前記導光板の前記上面に隣接して配置され、前記導光板の前記上面と対向する複数のプリズムを備えるプリズムシートを含む、バックライトユニット。
【請求項６】
前記複数のプリズムの各々は、凸部を含み、前記凸部が前記導光板の前記上面と対向するように配置される、請求項５に記載のバックライトユニット。
【請求項７】
前記第１の角の角度は、３．３度であり、
前記凸部の内角である第３の角の角度は、６５度である、請求項６に記載のバックライトユニット。
【請求項８】
前記第１の角の角度は、２．３度であり、
前記凸部の内角である第３の角の角度は、６８度である、請求項６に記載のバックライトユニット。
【請求項９】
前記導光板の前記下面において、前記第１側面から遠ざかる方向に進むほど、単位面積あたりの前記散乱パターンの個数が増加する、請求項５〜８のいずれか１項に記載のバックライトユニット。
【請求項１０】
前記導光板の前記下面において、前記複数の散乱パターンの各々のサイズは、前記第１側面から遠ざかる方向に進むほど大きくなる、請求項５〜８のいずれか１項に記載のバックライトユニット。
【発明の詳細な説明】
【技術分野】
【０００１】
本発明は、導光板及びバックライトユニットに関する。
【背景技術】
【０００２】
液晶表示装置は、外部ケースと連結される液晶表示モジュールを含む。液晶表示モジュールは、液晶層を介在する２枚の基板からなる液晶パネル、及び液晶パネルの後方に位置して液晶層に光を供給するバックライトユニットを含む。液晶パネルはバックライトユニットから提供された光の透過率を調節して画像を表示する。
【０００３】
バックライトユニットは光源の位置によって直下型と測光型の二つの方式に分けられる。直下型方式では光源が表示パネルの後方に備えられ、測光型方式では光源が表示パネルの後方一側に備えられる。
【発明の概要】
【発明が解決しようとする課題】
【０００４】
測光型バックライトユニットの場合、前記光源から射出された光を前記表示パネル側に導く導光板が必要とされる。導光板は光の経路を変更して前記表示パネルに前記光を導く。このような液晶表示装置において、様々な方向に射出される光を集光して正面、すなわち、表示パネルに向かうように誘導することが重要な問題であり、光源から射出された光の誘導によって、正面出光輝度を改善させるための多様な技術的試みが行われている。
【０００５】
そこで、本発明は、上記問題に鑑みてなされたものであり、本発明の目的とするところは、正面出光輝度を向上させることが可能な、新規かつ改良された導光板及びバックライトユニットを提供することにある。
【課題を解決するための手段】
【０００６】
上記課題を解決するために、本発明のある観点によれば、第１の方向に延長される第１の辺及び第２の方向に延長される第２の辺を含む上面と、前記上面と対向するように配置される下面と、前記上面と前記下面との間に互いに対向して配置される第１側面及び第２側面とを含み、前記下面は、基準面及び前記基準面から突出または陥没されて形成される複数の散乱パターンを含み、前記散乱パターンは、前記基準面と第１の角を成す第１傾斜面及び一端が前記第１傾斜面と接し、前記基準面と第２の角を成す第２傾斜面を含み、前記第１の角の角度は、１．８度〜５．７度のうちのいずれかの角度である、導光板が提供される。
【０００７】
また、前記散乱パターンの前記下面上の形状は長軸と短軸を有する楕円形状であり、前記長軸は前記第１の方向に延長され、前記短軸は前記第２の方向に延長されてもよい。
【０００８】
また、前記第１傾斜面及び前記第２傾斜面の外周は曲線を含み、前記第１傾斜面及び前記第２傾斜面は平坦面であってもよい。
【０００９】
また、前記第１傾斜面及び前記第２傾斜面は、曲面を含んでもよい。
【００１０】
また、上記課題を解決するために、本発明の別の観点によれば、第１の方向に延長される第１の辺及び第２の方向に延長される第２の辺を含む上面と、前記上面と対向するように配置される下面と、前記上面と前記下面との間に互いに対向して配置される第１側面及び第２側面とを含み、前記下面は基準面及び前記基準面から突出または陥没されて形成される複数の散乱パターンを含み、前記散乱パターンは、基準面と第１の角を成す第１傾斜面及び一端が前記第１傾斜面と接し、前記基準面と第２の角を成す第２傾斜面を含み、前記第１の角の角度は、１．８度〜５．７度のうちのいずれかの角度である導光板と、前記導光板の前記第１側面と隣接するように配置される光源部と、前記導光板の前記上面に隣接して配置され、前記導光板の前記上面と対向する複数のプリズムを備えるプリズムシートを含む、バックライトユニットが提供される。
【００１１】
また、前記複数のプリズムの各々は、凸部を含み、前記凸部が前記導光板の前記上面と対向するように配置されてもよい。
【００１２】
また、前記第１の角の角度は、３．３度であり、前記凸部の内角である第３の角の角度は、６５度であってもよい。
【００１３】
前記第１の角の角度は、２．３度であり、前記凸部の内角である第３の角の角度は、６８度であってもよい。
【発明の効果】
【００１４】
以上説明したように本発明によれば、正面出光輝度を向上させることが可能な、新規かつ改良された導光板及びバックライトユニットが提供される。
【００１５】
本発明による効果は、上記の例示された内容によって制限されず、さらに多様な効果が本明細書中に含まれている。
【図面の簡単な説明】
【００１６】
【図１】本発明の一実施形態による導光板の斜視図である。
【図２】図１に示される導光板の断面図である。
【図３】図１に示される導光板の底面図である。
【図４】図１に示される散乱パターンの部分拡大図である。
【図５】図４に示される散乱パターンがＩ−Ｉ’線に沿って切断された断面図である。
【図６】第１の角βの角度と集光度との関係を示すグラフである。
【図７】第１の角βの角度と全光束との関係を示すグラフである。
【図８】第１の角βの角度と正面出光輝度との関係を示すグラフである。
【図９】図１に示される導光板の断面図である。
【図１０】図５に示される実施形態の変形例による散乱パターンの断面図である。
【図１１】本発明の他の実施形態による導光板の底面図である。
【図１２】図１１に示される散乱パターンの部分拡大図である。
【図１３】図１２に示される散乱パターンがＩＩ−ＩＩ’線に沿って切断された断面図である。
【図１４】図１３に示される実施形態の変形例による導光板の散乱パターンの断面図である。
【図１５】図１３に示される実施形態の変形例による導光板の散乱パターンが境界部に沿ってｙ軸と平行な方向に切断された断面図である。
【図１６】本発明の他の実施形態による導光板の斜視図である。
【図１７】図１６に示される導光板の断面図である。
【図１８】図１６に示される導光板の底面図である。
【図１９】図１８に示される散乱パターンの部分拡大図である。
【図２０】図１９に示される散乱パターンがＩＩＩ−ＩＩＩ’線に沿って切断された断面図である。
【図２１】図１６に示される導光板の断面図である。
【図２２】本発明の他の実施形態による導光板の底面図である。
【図２３】図２２に示される散乱パターンの部分拡大図である。
【図２４】図２３に示される散乱パターンをＩＶ−ＩＶ’線に沿って切断された断面図である。
【図２５】図２４に示される実施形態の変形例による導光板の散乱パターンの断面図である。
【図２６】図２４に示される実施形態の変形例による導光板の散乱パターンが境界部に沿ってｙ軸と平行な方向に切断された断面図である。
【図２７】本発明の一実施形態によるバックライトユニットの斜視図である。
【図２８】図２７に示されるバックライトユニットの断面図である。
【図２９】図２７に示されるバックライトユニットの断面図である。
【図３０】第１の角及び第３の角と正面出光輝度との関係を示すグラフである。
【図３１】図２９に示される実施形態の変形例による導光板の断面図である。
【図３２】本発明の他の実施形態によるバックライトユニットの底面図である。
【図３３】図３２に示される実施形態の変形例によるバックライトユニットの底面図である。
【図３４】図３２に示される実施形態の変形例によるバックライトユニットの底面図である。
【図３５】図３２に示される実施形態の変形例によるバックライトユニットの底面図である。
【図３６】本発明の他の実施形態によるバックライトユニットの部分斜視図である。
【図３７】本発明の他の実施形態によるバックライトユニットの部分斜視図である。
【図３８】本発明の他の実施形態によるバックライトユニットの斜視図である。
【図３９】図３８に示されるバックライトユニットの底面図である。
【図４０】図３９に示される散乱パターンがＶ−Ｖ’線に沿って切断された断面図である。
【図４１】図３９に示される実施形態の変形例によるバックライトユニットの底面図である。
【図４２】図４１に示される実施形態の変形例によるバックライトユニットの底面図である。
【図４３】本発明の一実施形態による液晶表示装置の分解斜視図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
本発明の利点及び特徴、ならびにこれらを達成する方法は、添付される図面と共に詳細に後述される実施形態において明確になるであろう。しかし、本発明は、以下に開示される実施形態に限定されるものではなく、互いに異なる多様な形態で実現される。
【００１９】
素子（ｅｌｅｍｅｎｔｓ）または層が他の素子または層の「上（ｏｎ）」と称された場合、他の素子の真上にまたは中間に他の層または他の素子を介在する場合のすべてが含まれる。
【００２０】
第１、第２等の表現が多様な素子または構成要素を説明するために使用されるが、これら素子または構成要素はこれらの用語によって制限されないことはいうまでもない。これらの用語は、単に一つ構成要素を他の構成要素と区別するために使用される。したがって、以下で言及される第１の構成要素は、本発明の技術的思想内で第２の構成要素であり得ることは勿論である。
【００２１】
以下、添付された図面を参照して本発明の実施形態について説明する。
【００２２】
図１は、本発明の一実施形態による導光板１００の斜視図である。図２は、図１に示される導光板１００の断面図である。図３は、図１に示される導光板１００の底面図である。
【００２３】
図１〜図３に示したように、本発明の一実施形態による導光板１００は、第１の方向としてのｘ軸方向に延長される第１の辺、及び第２の方向としてのｙ軸方向に延長される第２の辺を含む上面１１０と、上面１１０と対向するように配置される下面１２０と、上面１１０と下面１２０との間に互いに対向して配置される第１側面１３０及び第２側面１４０とを含み、下面１２０は、基準面１２０１及び基準面１２０１から突出または陥没されて形成された複数の散乱パターン３００を含み、散乱パターンは、基準面１２０１と第１の角βを成す第１傾斜面３１０及び一端が第１傾斜面３１０と接して基準面１２０１と第２の角αを成す第２傾斜面３２０を含む。
【００２４】
上面１１０は水平方向に延長して形成され得る。図１は上面１１０が平坦面である場合を例示しているが、上面１１０の形状は、これに制限されず、上面１１０上にも特定の形状を有するパターンなどが配置されるか、または少なくとも部分的に傾斜面が配置され得る。傾斜面についての詳細な説明は後述する。
【００２５】
例示的な実施形態では、上面１１０は四角形形状を有する。すなわち、上面１１０は四つの辺を有する。言い換えれば、上面１１０はｘ軸方向に延長された第１の辺１１０ａ及びｙ軸方向に延長された第２の辺１１０ｂを含み得る。例示的な実施形態では、第２の辺１１０ｂは後述する第１の側面１３０と接する接線であり得る。
【００２６】
下面１２０は上面１１０と対向して配置される。下面１２０の形状は上面１１０の形状と同じである。具体的には、上面１１０及び下面１２０は互いに平行であり、水平方向に延長されて形成されるが、上面１１０及び下面１２０は実質的に同じ形状を有して対向する。例示的な実施形態では、上面１１０及び下面１２０は四角形形状であり得るが、上面１１０及び下面１２０の形状はこれに制限されない。
【００２７】
上面１１０と下面１２０との間には、第１側面１３０及び第２側面１４０が配置され得る。第１側面１３０及び第２側面１４０の上段と下段は、上面１１０及び下面１２０の両端と接する。すなわち、上面１１０及び下面１２０は正六面体の上面及び底面であり、第１側面１３０及び第２側面１４０は正六面体の四つの側面のうち、互いに対向する二つの面であり得る。
【００２８】
第１側面１３０及び第２側面１４０のうちの一方は、後述する光源部２００と隣接するように配置され得る。すなわち、第１側面１３０及び第２側面１４０のうちの一方は、一つ以上の光源部２００と対向するように配置され得る。光源部２００についての詳細な説明は後述する。
【００２９】
図１では、第１側面１３０及び第２側面１４０のｚ軸方向の長さが実質的に同じである場合を例示するが、第１側面１３０のｚ軸方向の長さ及び第２側面１４０のｚ軸方向の長さは互いに異なる場合もある。また、図１では、第１側面１３０及び第２側面１４０が平坦面である場合を例示するが、これに制限されず、第１側面１３０及び第２側面１４０には特定形状のパターンが形成され得る。例えば、第１側面１３０または第２側面１４０には少なくとも部分的に凹凸パターンが形成され得る。
【００３０】
下面１２０は、基準面１２０１と基準面１２０１から突出または陥没して形成された少なくとも一つ以上の散乱パターン３００を含み得る。
【００３１】
基準面１２０１は平坦面であって、突出または陥没の基準になる面である。
【００３２】
下面１２０上には少なくとも一つ以上の散乱パターン３００が備えられる。散乱パターン３００は複数のマトリクス状に配列されるが、これに制限されず、散乱パターン３００は不規則な配列で散開して配置され得る。また、散乱パターン３００の各々のサイズは実質的に同じであるが、これに制限されず、散乱パターン３００の各々は互いに異なるサイズであってもよい。
【００３３】
散乱パターン３００は基準面１２０１から突出または陥没して形成される。具体的には、散乱パターン３００は基準面１２０１から下方、すなわち上面１１０に向かう方向と反対方向に向かって突出して形成されるか、または基準面１２０１から上方、すなわち、上面１１０に向かって陥没して形成される。散乱パターン３００に関する詳細な説明は後述する。
【００３４】
上面１１０、下面１２０、第１側面１３０及び第２側面１４０を含む導光板１００は透明な物質で形成され得る。本明細書において、透明とは、光を完全に通過させる完全な透過性または光を部分的に通過させる半透過性を含む概念として理解され得る。
【００３５】
導光板１００は、透明な材質を有するため、導光板１００は例えば、ポリカーボネート（Ｐｏｌｙｃａｒｂｏｎａｔｅ、ＰＣ）、ポリメチルメタクリレート（Ｐｏｌｙ  Ｍｅｔｈｙｌ  Ｍｅｔｈａｃｒｙｌａｔｅ、ＰＭＭＡ）などの物質からなる。ただし、これは例示的なものであり、導光板１００の材質はこれに制限されない。
【００３６】
例示的な実施形態では、導光板１００は可撓性を有する。導光板１００の可撓性は、導光板１００の厚さ、形状及び材質などに起因して与えられるが、これらに制限されない。
【００３７】
図４は、図１の散乱パターン３００の部分拡大図である。図５は、図４に示される散乱パターン３００がＩ−Ｉ’線に沿って切断された断面図である。
【００３８】
図４及び図５に示したように、散乱パターン３００は第１傾斜面３１０及び第２傾斜面３２０を含み得る。説明の便宜上、先に散乱パターン３００が基準面１２０１から突出して形成された場合について説明する。散乱パターン３００が基準面１２０１から陥没して形成された場合については後述する。
【００３９】
散乱パターン３００は第１傾斜面３１０及び第２傾斜面３２０を含み得る。第１傾斜面３１０及び第２傾斜面３２０はｘ軸方向に整列して配置される。具体的には、散乱パターン３００の各々において、第１側面１３０に相対的に近い部分に第２傾斜面３２０が配置され、第２側面１４０に相対的に近い部分に第１傾斜面３１０が配置される。例えば、光源部２００が第１側面１３０と隣接するように配置される場合、散乱パターン３００の各々において、第１側面１３０に相対的に近い部分に第２傾斜面３２０が配置され、第２側面１４０に相対的に近い部分に第１傾斜面３１０が配置され得る。
【００４０】
第１傾斜面３１０及び第２傾斜面３２０は基準面１２０１から上面１１０に向かう方向と反対方向に傾斜されて形成される。具体的には、図５の断面図で示すように、第１傾斜面３１０及び第２傾斜面３２０の各々は、基準面１２０１から上面１１０に向かう方向と反対方向に傾斜されて形成され、第１傾斜面３１０の端部及び第２傾斜面３２０の端部は互いに接し得る。このため、第１傾斜面３１０の端部と第２傾斜面３２０の端部とが接する境界部３３０が形成され得る。すなわち、散乱パターン３００がＩ−Ｉ’線に沿って切断された場合、その断面の形状は三角形の形状であり得る。具体的には、基準面１２０１の延長線、第１傾斜面３１０及び第２傾斜面３２０の各々が三角形の一辺であり得る。
【００４１】
第１傾斜面３１０は基準面１２０１と第１の角βを成し、第２傾斜面３２０は基準面１２０１と第２の角αを成す。すなわち、図５で示される断面形状で第１の角β及び第２の角αの各々は、三角形の内角であり得る。
【００４２】
例示的な実施形態では、第１の角βの角度は第２の角αの角度に比べて小さい場合もある。このため、第１傾斜面３１０の水平距離ｄ１は第２傾斜面３２０の水平距離ｄ２に比べて大きくなり得る。
【００４３】
また、例示的な実施形態では、第１の角βの角度は１．８度〜５．７度である。以下では実験例を参照して第１の角βの角度が１．８度〜５．７度の範囲のいずれかの角度である場合の効果について説明する。
【００４４】
図６は、第１の角βの角度と集光度との関係を示すグラフである。図７は、第１の角βとの角度全流束との関係を示すグラフである。図８は、第１の角βの角度と正面出光輝度との関係を示すグラフである。
【００４５】
図６〜図８に示したように、第１の角βの角度が１．８度〜５．７度の範囲を有する場合、導光板１００の上面１１０を透過して導光板１００の上方に射出される光の正面出光輝度は、第１の角βの角度が１．８度〜５．７度以外の角度である場合に比べて高い。他の例示的な実施形態では、第１の角βの角度は３．３度であり得る。第１の角βの角度が３．３度である場合、導光板１００の上面１１０を透過し、導光板１００の上方に射出される光の正面出光輝度は、第１の角βの角度が３．３度以外の角度である場合よりも大きくなる。そして、図６に示したように、第１の角βの角度が小さいほど集光度は大きくなる傾向があり、図７に示したように、第１の角βの角度が小さいほど全光束は小さくなる傾向があるが、集光度及び全光束は、正面出光輝度の側面から互いに逆効果をもたらす。すなわち、集光度及び全光束が適宜に調和した第１の角βの角度が重要な意味を有するが、例示的な実験例では第１の角βの角度が１．８度〜５．７度、特に第１の角βの角度が３．３度である場合、求められる正面出光輝度が得られた。
【００４６】
第１傾斜面３１０及び第２傾斜面３２０は下面１２０において四角形の形状である。ただし、これは例示であり、第１傾斜面３１０及び第２傾斜面３２０の下面１２０上の形状は、円形であるか、または少なくとも部分的に曲線を含む形状であり得る。第１傾斜面及び第２傾斜面の形状についての詳細な説明は後述する。
【００４７】
本発明の一実施形態による導光板１００における光の進行経路を説明するため、図９を参照する。
【００４８】
図９は、図１に示される導光板１００の断面図である。
【００４９】
図９に示したように、第１側面１３０と隣接して配置される光源部２００から射出される光は導光板１００の内部で全反射し、その後導光板１００の上面１１０に向かって進行し得る。
【００５０】
説明の便宜上、光源部２００から射出される光のうちの一つを例に挙げて説明する。光源部２００から射出される光のうちの一つは、導光板１００の上面１１０に照射され得る。導光板１００の上面１１０に照射される光の入射角（図９で示される第１入射角θ１）が臨界角より大きい場合、全反射が起こり得る。この際、光は、導光板１００の上面１１０で反射し、導光板１００の下面１２０に進行する。導光板１００の下面１２０に進行する光は第１傾斜面３１０に到達する。第１傾斜面３１０に到達した光は反射し、再び導光板１００の上面１１０に向かって進行し得る。第１傾斜面３１０で反射する光の入射角（図９で示される第２入射角θ２）は第１入射角θ１に比べて小さい場合もある。例示的な実施形態では、第２入射角θ２は臨界角に比べて小さい場合もあり得、光は導光板１００の上面１１０を透過して導光板１００の上方に進行し得る。
【００５１】
図９では、光が一回の全反射を経て、第１傾斜面３１０で反射した後、導光板１００の上方に進行する場合を例示したが、光の経路はこれに制限されない。例えば、光は、全反射を経ず、導光板１００の上方に進行してもよく、少なくとも一回以上の全反射を経て導光板１００の上方に進行してもよい。また、少なくとも一回以上の全反射を経る光は、少なくとも一回以上は第１傾斜面３１０に到達する。また、第１傾斜面３１０で反射し、導光板１００の上面１１０に進行する光の入射角θ２が臨界角より大きい場合、導光板１００の上面１１０で再び全反射が起き、前述した全反射された場合の光の進行の順序が繰り返される。また、例示的な実施形態では、複数回の全反射を経た光は、第２側面１４０で反射し、導光板１００の上面１１０または導光板１００の下面１２０に向かって進行し得る。
【００５２】
以下では、本発明の他の実施形態について説明する。
【００５３】
図１０は、図５に示される実施形態の変形例による散乱パターン３１０の断面図である。
【００５４】
図１０に示したように、本発明の変形例による散乱パターン３１０の第２の角αが実質的に直角であることが、図５に示される実施形態とは異なる点である。
【００５５】
例示的な実施形態では、第２の角αは実質的に直角である。ただし、この場合も第１の角βは図５に示される第１の角β実質的に同一であり得る。第２の角αが実質的に直角であり、第１の角βが図５に示される実施形態の第１の角βと実質的に同一の角度を有することによって、第１傾斜面３１０の水平距離ｄ１は、図５に示される実施形態の散乱パターン３００の第１傾斜面３１０の水平距離ｄ１に比べて相対的に大きくなり得る。
【００５６】
また、第２の角αが実質的に直角である場合、第２傾斜面３２１ａの水平距離は実質的に「０」であり得る。すなわち、第２傾斜面３２１ａは基準面１２０１に対して実質的に垂直な面であり得る。
【００５７】
図１１は、本発明の他の実施形態による導光板１００の底面図である。
【００５８】
図１１に示したように、本発明の他の実施形態による導光板１００の散乱パターン３０１の下面１２０上の形状が曲線を含む点が、図３に示される実施形態と異なる点である。
【００５９】
散乱パターン３０１の下面１２０上の形状は曲線を含み得る。言い換えれば、散乱パターン３０１の各々の外周は少なくとも部分的に曲線を含み得る。例示的な実施形態では、散乱パターン３０１の各々は長軸及び短軸を有する楕円形状であり得る。この場合、長軸はｘ軸方向に延長され得、短軸はｙ軸方向に延長され得る。
【００６０】
図１２及び図１３を参照して散乱パターン３０１について詳細に説明する。
【００６１】
図１２は、図１１の散乱パターン３０１の部分拡大図である。図１３は、図１２に示される散乱パターン３０１がＩＩ−ＩＩ’線に沿って切断された断面図である。
【００６２】
図１２に示したように、楕円形の散乱パターン３０１は第１傾斜面３１１及び第２傾斜面３２１を含み得る。
【００６３】
散乱パターン３０１の各々において、第２傾斜面３２１が第１側面１３０に相対的に近い部分に配置され、第１傾斜面３１１が第２側面１４０に相対的に近い部分に配置されることは、前述した図３に示される実施形態の内容と同様である。
【００６４】
図１３に示したように、図１２に示される散乱パターン３０１がＩＩ−ＩＩ’線に沿って切断された断面形状は、図５に示される実施形態と実質的に同一である。
【００６５】
言い換えれば、図１２の散乱パターン３０１がｘ軸と平行な方向で切断された断面形状は三角形形状であり得る。そして、第１傾斜面３１１及び第２傾斜面３２１の外周は少なくとも部分的に曲線を含み、第１傾斜面３１１及び第２傾斜面３２１は曲面ではない平坦面である。そして、第１傾斜面３１１及び第２傾斜面３２１の境界部３３１、すなわち、第１傾斜面３１１の端部と第２傾斜面３２１の端部とが接する境界部３３１はｙ軸方向と平行な直線であり得る。
【００６６】
図１４は、図１３に示される実施形態の変形例による導光板１００の散乱パターン３０２の断面図である。  
【００６７】
図１４に示したように、第１傾斜面３１２及び第２傾斜面３２２は曲面を含み得る。具体的には、散乱パターン３０２がｘ軸と平行な方向で切断された断面形状は下に凸の放物線形状を含み得る。すなわち、断面形状の外周の一部が放物線形状であり得る。例えば、第１傾斜面３１２及び第２傾斜面３２２は基準面１２０１から上面１１０に向かう方向と反対方向に傾斜され、ゆるやかな曲面を成す。ただし、この場合にも、第１傾斜面３１２と第２傾斜面３２２との境界部３３２は直線であり得る。
【００６８】
この場合、第１の角βは、図１４で示したように、第１傾斜面３１２と基準面１２０１とが接する接点を通り、第１傾斜面３１２と接する接線ｌ１と基準面１２０１とが成す角で定義される。第２の角αもまた第１の角βと同様に、図１４で示したように、第２傾斜面３２２と基準面１２０１とが接する接点を通り、第２傾斜面３２２と接する接線ｌ２と基準面１２０１とが成す角で定義される。この場合、第１の角βの角度が１．８度〜５．７度であり得ることについては前述した通りである。
【００６９】
図１５は、図１３に示される実施形態の変形例による導光板１００の散乱パターン３０２が境界部３３１に沿ってｙ軸と平行な方向に切断された断面図である。
【００７０】
例示的な実施形態では、導光板１００の散乱パターン３０２が第１傾斜面３１２の端部と第２傾斜面３２２の端部との境界部３３２に沿ってｙ軸と平行な方向に切断された断面形状は下に凸の放物線形状であり得る。
【００７１】
例示的な実施形態では、散乱パターン３０２は図１４及び図１５に示される形状を含んで形成される。すなわち、例示的な実施形態では、散乱パターン３０２の、ｘ軸方向に切断された断面形状及びｙ軸方向に切断された断面形状は、下に凸の放物線形状を含み得る。例えば、散乱パターン３０２は、楕円体が楕円体の長軸を含む水平面に沿って切断された形状であり得る。言い換えると、散乱パターン３０２は、ラクビーボールのような楕円体が当該楕円体の長軸を含む面に沿って切断された形状であり得る。
【００７２】
図１６は、本発明の他の実施形態による導光板１００の斜視図である。図１７は、図１６に示される導光板１００の断面図である。図１８は、図１６に示される導光板１００の底面図である。
【００７３】
図１６〜図１８に示したように、本発明の他の実施形態による導光板１００の散乱パターン３０３が基準面１２０１から陥没されて形成される点が、図１〜図３に示される実施形態と異なる点である。
【００７４】
本発明の他の実施形態による導光板１００において、散乱パターン３０３は下面１２０の基準面１２０１から上面１１０に向かって陥没されて形成され得る。
【００７５】
前述したように、基準面１２０１は平坦面であって突出または陥没の基準になる面であり得る。
【００７６】
下面１２０上には、少なくとも一つ以上の散乱パターン３０３が備えられる。散乱パターン３０３は複数のマトリクス状に配列されるが、これに制限されず、散乱パターン３０３は不規則な配列で散開されて配置され得る。また、散乱パターン３０３の各々のサイズは実質的に同じであるが、これに制限されず、散乱パターン３０３の各々は互いに異なるサイズであってもよい。
【００７７】
散乱パターン３０３は基準面１２０１から突出または陥没されて形成される。以下では、散乱パターン３０３が基準面１２０１から陥没されて形成された場合について説明する。
【００７８】
図１９及び図２０を参照して、散乱パターン３０３ついて詳細に説明する。
【００７９】
図１９は、図１８に示される散乱パターン３０３の部分拡大図であり、図２０は図１９に示される散乱パターン３０３がＩＩＩ−ＩＩＩ’線に沿って切断された断面図である。
【００８０】
図１９及び図２０に示したように、散乱パターン３０３は第１傾斜面３１３及び第２傾斜面３２３を含み得る。
【００８１】
第１傾斜面３１３及び第２傾斜面３２３はｘ軸方向に整列して配置され得る。ただし、図４及び図５に示される実施形態とは異なり、図１９及び図２０に示される実施形態では、散乱パターン３０３の各々において、第１側面１３０に相対的に近い部分に第１傾斜面３１３が配置され、第２側面１４０に相対的に近い部分に第２傾斜面３２３が配置される。例えば、光源部２００が第１側面１３０に隣接するように配置される例示的な実施形態では、散乱パターン３０３の各々の第１傾斜面３１３は、第２傾斜面３２３に比べて相対的に光源部２００に近くなるように配置され得る。
【００８２】
第１傾斜面３１３及び第２傾斜面３２３は基準面１２０１から上面１１０に向かう方向に傾斜されて形成される。具体的には、図２０の断面図に示すように、第１傾斜面３１３及び第２傾斜面３２３は各々基準面１２０１から上面１１０に向かう方向に傾斜されて形成され、第１傾斜面３１３の端部と第２傾斜面３２３の端部とは互いに接する。このため、第１傾斜面３１３の端部と第２傾斜面３２３の端部とが接する境界部３３３が形成される。
【００８３】
また、散乱パターン３０３がＩＩＩ−ＩＩＩ’線に沿って切断された場合、その断面形状は三角形形状であり得る。具体的には、基準面１２０１の延長線、第１傾斜面３１３及び第２傾斜面３２３の各々が三角形の一辺であり得る。
【００８４】
第１傾斜面３１３は基準面１２０１と第１の角βを成し、第２傾斜面３２３は基準面１２０１と第２の角αを成す。すなわち、図２０に示したように、第１の角β及び第２の角αの各々は三角形の内角であり得る。
【００８５】
例示的な実施形態では、第１の角βは第２の角αに比べて小さい場合もある。このため、第１傾斜面３１３の水平距離ｄ３は第２傾斜面３２３の水平距離ｄ４に比べて大きくなり得る。
【００８６】
また、例示的な実施形態では、第１の角βの角度は１．８度〜５．７度である。第１の角βの角度が１．８度〜５．７度の範囲のいずれかの角度である場合、第１の角βの角度が１．８度〜５．７度以外の角度である場合に比べて、正面出光輝度が高いことは図６〜図８を参照して説明した通りである。第２の角αは鋭角であり得るが、これに制限されず、例示的な実施形態では、第２の角αは直角であり得る。
【００８７】
第１傾斜面３１３及び第２傾斜面３２３は下面１２０において四角形形状であり得る。ただし、これは例示であり、第１傾斜面３１３及び第２傾斜面３２３の下面１２０上の形状は、円形であるか、または少なくとも部分的に曲線を含む形状であり得る。第１傾斜面３１３及び第２傾斜面３２３に関する詳細な説明は後述する。
【００８８】
本発明の他の実施形態による導光板１００における光の進行経路を説明するため、図２１を参照する。
【００８９】
図２１は、図１６に示される導光板１００の断面図である。
【００９０】
図２１に示したように、第１側面１３０と隣接して配置される光源部２００から射出される光は、導光板１００の内部で全反射し、その後導光板１００の上面１１０に向かって進行する。
【００９１】
説明の便宜上、光源部２００から射出される光線のうちの一つを例に挙げて説明する。光源部２００から射出される光のうちの一つは導光板１００の上面１１０に照射され得る。導光板１００の上面１１０に照射される光の入射角（図２１に示される第１入射角θ１）が臨界角より大きい場合、全反射が起こり得る。光は、導光板１００の上面１１０で反射し、導光板１００の下面１２０に進行し得る。導光板１００の下面１２０に進行する光は第１傾斜面３１３に到達する。第１傾斜面３１３に到達した光は反射し、再び導光板１００の上面１１０に向かって進行する。第１傾斜面３１３に反射する光の入射角（図２１に示される第２入射角θ２）は第１入射角θ１に比べて小さい場合もある。例示的な実施形態では、第２入射角θ２は臨界角に比べて小さい場合もあり、光は導光板１００の上面１１０を透過して導光板１００の上方に進行する。
【００９２】
図２１では、光が一度の全反射を経て第１傾斜面３１３で反射した後、導光板１００の上方に進行する場合を例示したが、光の経路はこれに制限されない。例えば、光は、全反射を経ず、導光板１００の上方に進行してもよく、または少なくとも一回以上の全反射を経て導光板１００の上方に進行する。また、少なくとも一回以上の全反射を経る光は少なくとも一回以上第１傾斜面３１３に到達する。また、第１傾斜面３１３で反射して導光板１００の上面１１０に進行する光の入射角θ２が臨界角より大きい場合、導光板１００の上面１１０で再び全反射が起こり、前述した全反射された場合の光の進行の順序が繰り返される。また、例示的な実施形態では、複数回の全反射を経た光は第２側面１４０で反射し、導光板１００の上面１１０または導光板１００の下面１２０に向かって進行する。
【００９３】
このように、光源部２００から射出された光が導光板１００で移動する経路は、図６に示される実施形態で説明した内容と実質的に同一である。
【００９４】
図２２は、本発明の他の実施形態による導光板１００の底面図である。
【００９５】
図２２に示したように、本発明の他の実施形態による導光板１００の散乱パターン３０４の下面１２０上の形状が曲線を含む点が、図１８に示される実施形態と異なる点である。
【００９６】
散乱パターン３０４の下面１２０上の形状は曲線を含み得る。すなわち、各散乱パターン３０４の外周は少なくとも部分的に曲線を含み得る。例示的な実施形態では、散乱パターン３０４の各々は長軸及び短軸を有する楕円形状であり得る。この場合、長軸はｘ軸と平行であり、短軸はｙ軸と平行である。
【００９７】
図２３及び図２４を参照して散乱パターン３０４について詳細に説明する。
【００９８】
図２３は、図２２に示される散乱パターン３０４の部分拡大図である。図２４は、図２３に示される散乱パターン３０４がＩＶ−ＩＶ’線に沿って切断された断面図である。
【００９９】
図２３に示したように、楕円形の散乱パターン３０４は第１傾斜面３１４及び第２傾斜面３２４を含み得る。
【０１００】
散乱パターン３０４の各々において、第１傾斜面３１４が第１側面１３０に相対的に近い部分に配置され、第２傾斜面３２４が第２側面１４０に相対的に近い部分に配置されることは、図２０を参照して説明した通りである。
【０１０１】
図２４に示したように、図２３に示される散乱パターン３０４がＩＶ−ＩＶ’線に沿って切断された断面形状は、図２０に示される実施形態と実質的に同一である。
【０１０２】
具体的には、図２４に示される散乱パターン３０４がｘ軸方向と平行な方向で切断された断面形状は三角形形状である。そして、第１傾斜面３１４及び第２傾斜面３２４の外周は少なくとも部分的に曲線を含み、第１傾斜面３１４及び第２傾斜面３２４は曲面ではない平坦面からなる。そして、第１傾斜面３１４及び第２傾斜面３２４の境界部、すなわち、第１傾斜面３１４の端部及び第２傾斜面３２４の端部が接する境界部３３４はｙ軸方向と平行な直線であり得る。
【０１０３】
図２５は、図２４に示される実施形態の変形例による導光板１００の散乱パターン３０５の断面図である。
【０１０４】
図２５に示したように、第１傾斜面３１５及び第２傾斜面３２５は曲面を含み得る。
【０１０５】
具体的には、散乱パターン３０５がｘ軸と平行な方向で切断された断面形状は上に凸の放物線形状であり得る。例えば、第１傾斜面３１５及び第２傾斜面３２５は基準面１２０１から上向きに傾斜され、ゆるやか曲面を成す。ただし、この場合にも、第１傾斜面３１５と第２傾斜面３２５との境界部３３４は直線であり得る。
【０１０６】
この場合、第１の角βは、図２５で示したように、第１傾斜面３１５と基準面１２０１とが接する接点を通り、第１傾斜面３１５と接する接線ｌ３と基準面１２０１とが成す角で定義される。第２の角αもまた第１の角βと同様に、図２５で示したように、第２傾斜面３２５と基準面１２０１とが接する接点を通り、第２傾斜面３２５と接する接線ｌ４と基準面１２０１とが成す角で定義される。この場合、第１の角βの角度が１．８度〜５．７度であることは、前述した通りである。
【０１０７】
図２６は、図２４に示される実施形態の変形例による導光板１００の散乱パターン３０５が境界部３３４に沿ってｙ軸方向と平行な方向で切断された断面図である。
【０１０８】
例示的な実施形態では、導光板１００の散乱パターン３０５が第１傾斜面３１５と第２傾斜面３２５との境界部３３４に沿ってｙ軸方向と平行な方向で切断された断面形状は下に凸の放物線形状であり得る。
【０１０９】
例示的な実施形態では、散乱パターン３０５は図２５及び図２６に示される実施形態の形状を含んで形成され得る。すなわち、例示的な実施形態では、散乱パターン３０５の、ｘ軸方向に切断された断面形状及びｙ軸方向に切断された断面形状が上に凸の放物線形状であり得る。例えば、散乱パターン３０５は、楕円体が当該楕円体の長軸を含む水平面に沿って切断された形状であり得る。言い換えると、散乱パターン３０５はラクビーボールのような楕円体が当該楕円体の長軸を含む面に沿って切断された形状であり得る。
【０１１０】
図２７は、本発明の一実施形態によるバックライトユニットの斜視図である。図２８は、図２７に示されるバックライトユニットの断面図である。
【０１１１】
図２７及び図２８に示したように、本発明の一実施形態によるバックライトユニットは、ｘ軸方向に延長される第１の辺及びｙ軸方向に延長される第２の辺を含む上面１１０と、上面１１０と対向するように配置される下面１２０と、上面１１０と下面１２０との間に互いに対向して配置される第１側面１３０及び第２側面１４０とを含み、下面１２０は、基準面１２０１及び基準面１２０１から突出または陥没されて形成された複数の散乱パターン３００を含み、散乱パターン３００は、基準面１２０１と第１角βを成す第１傾斜面３１０及び一端が第１傾斜面３１０と接し、基準面１２０１と第２角αを成す第２傾斜面３２０を含む導光板１００、導光板１００の第１側面１３０と隣接するように配置される光源部２００、ならびに導光板１００の上方に配置され、導光板１００の上面１１０と対向する複数のプリズム４１０を備えるプリズムシート４００を含む。
【０１１２】
導光板１００は、前述した本発明のいくつかの実施形態による導光板１００と実質的に同一である。したがって、導光板１００についての詳細な説明は省略する。
【０１１３】
導光板１００の第１側面１３０と隣接するように光源部２００が配置される。光源部２００は、ｙ軸方向に延長されるベース２２０、及びベース２２０の一側面に少なくとも一つ以上配置される光源２１０を含み得る。
【０１１４】
ベース２２０は少なくとも一つ以上の光源２１０を支持する役割を果たし、ｙ軸方向に延長されたバー形状を有する。例示的な実施形態では、ベース２２０の一側面上には光源２１０の側部を少なくとも部分的に囲む側壁が形成され得る。
【０１１５】
ベース２２０の一側面上、すなわち、導光板１００の第１側面１３０と対向する面上には少なくとも一つの光源２１０が備えられる。光源２１０は発光ダイオード（ＬＥＤ、Ｌｉｇｈｔ  Ｅｍｉｔｔｉｎｇ  Ｄｉｏｄｅ）であり得るが、これは例示であり、光源２１０の種類はこれに制限されない。
【０１１６】
例示的な実施形態では、複数の光源２１０はｙ軸方向に一定間隔で離隔されて配置される。
【０１１７】
導光板１００の上方にはプリズムシート４００が配置され得る。具体的には、プリズムシート４００は、導光板１００の上面１１０と接し得、または導光板１００の上面１１０と所定の間隔だけ離隔されて配置され得る。
【０１１８】
プリズムシート４００は複数のプリズム４１０を含み得る。複数のプリズム４１０はｘ軸方向に配置され、プリズム４１０の各々はｙ軸方向に延長され得る。すなわち、バー形状を有するプリズム４１０がｙ軸と平行な方向に複数配置され得る。
【０１１９】
プリズム４１０の各々は、凸部としての山部（ｍｏｕｎｔａｉｎ  ｐｏｒｔｉｏｎ）を有する。プリズム４１０の山部は導光板１００上面１１０と対向するように配置される。具体的には、図２８に示すように、プリズム４１０がｘ軸方向に切断された断面は三角形形状であり、プリズム４１０の山部とは、三角形のうちの導光板１００の上面１１０と隣接する頂点付近を意味する。
【０１２０】
図２９を参照して本発明の一実施形態によるバックライトユニットで光源部２００から射出される光の移動経路について説明する。
【０１２１】
図２９は、図２７に示されるバックライトユニットの断面図である。
【０１２２】
図２９に示したように、第１側面１３０と隣接するように配置される光源部２００から射出される光は導光板１００の内部で全反射し、その後導光板１００の上面１１０を透過して導光板１００の上方に進行する。
【０１２３】
説明の便宜上、光源部２００から射出される光線のうちの一つを例に挙げて説明する。光源部２００から射出される光線のうちの一つは導光板１００の上面１１０に向かって照射され得る。導光板１００の上面１１０に照射される光の入射角（図２９に示される第１入射角θ１）が臨界角より大きい場合、全反射が起こる。このとき、光は、導光板１００の上面１１０で反射し、導光板１００の下面１２０に進行する。導光板１００の下面１２０に進行する光は第１傾斜面３１０に到達する。第１傾斜面３１０に到達した光は反射し、再び導光板１００の上面１１０に向かって進行する。第１傾斜面３１０に反射する光の入射角（図２９に示される第２入射角θ２）は第１入射角θ１に比べて小さい場合もある。例示的な実施形態では、第２入射角θ２は臨界角に比べて小さい場合もあり得、光は導光板１００の上面１１０を透過して導光板１００の上方に進行する。
【０１２４】
第２入射角θ２が臨界角に比べて小さい場合、導光板１００の上面１１０を透過した光は第３屈折角θ３で屈折し、プリズムシート４００に向かって進行する。第３屈折角θ３で屈折し、プリズムシート４００に向かって進行する光は、ある一つのプリズム４１０の一側面を透過し、当該プリズム４１０の他側面で反射し、液晶パネルの前面部すなわち、プリズムシート４００の上方に向かって進行する。
【０１２５】
さらに具体的に説明すると、導光板１００の上面１１０に入射される光は次のような数式に従って進行する。
【０１２６】
【数１】
2015118906.tif 000003
【０１２７】
ここで、θｉは上面１１０に対する光の入射角、ｎ２は導光板１００の屈折率、ｎ３はプリズムシート４００の屈折率を意味する。また、γは第３の角γである。上記のような数式により、特定の入射角θｉにおける第１の角βの角度を計算できる。このような式に基づき行った実験例（図３０を参照）によれば、第１の角βの角度が３．３度であり、第３の角γの角度が６５度である場合、バックライトユニットが、第１の角α及び第３の角γが他の角度である場合よりも高い正面出光輝度値を有する。また、第１の角βの角度が約２．３度であり、第３の角γの角度が約６８度である場合、バックライトユニットが、第１の角βの角度が３．３度であり、第３の角γの角度が６５度である場合の次に大きい正面出光輝度値を有する。すなわち、前記した２つの場合に、バックライトユニットは、第１の角βの角度が他の角度である場合に比べて高い正面出光輝度を有するという効果が示される。
【０１２８】
図３１は、図２９に示される実施形態の変形例による導光板の断面図である。
【０１２９】
図３１に示したように、導光板１００の散乱パターン３０３が基準面１２０１から上面１１０に向かって陥没されて形成される点が、図２９に示される実施形態と異なる点である。
【０１３０】
前述したように、散乱パターン３０３は導光板１００の下面１２０の基準面１２０１から上面１１０に向かって陥没されて形成され得る。また、散乱パターン３０３が陥没されて形成された場合、導光板１００における光の経路は図２９に示される実施形態と実質的に同一である。具体的には、導光板１００の上面１１０から全反射して導光板１００の下面１２０に向かう光が第１傾斜面３１３に到達して反射し、反射した光の入射角が臨界角より小さい場合、導光板１００の上面１１０を透過して導光板１００の上方に配置されるプリズムシート４００に向かって進行し、進行する光は、ある一つのプリズム４１０の一側面を透過し、前記プリズム４１０の他側面で反射し、液晶パネルの前面部すなわち、プリズムシート４００の上方に向かって進行する。
【０１３１】
図３２は、本発明の他の実施形態によるバックライトユニットの底面図である。
【０１３２】
図３２に示したように、本発明の他の実施形態によるバックライトユニットの導光板１００の散乱パターン３０１は、光源部２００から遠くなるほど散乱パターン３０１の密度が高くなるように配置される。
【０１３３】
前述したように導光板１００の下面１２０の散乱パターン３０１は規則的にまたは不規則に配置される。また、前述したように複数の散乱パターン３０１は複数の列と複数の行を有するマトリクス状に配列される。例示的な実施形態では、複数の散乱パターン３０１は光源部２００から遠くなるほど多く配置される。言い換えれば、光源部２００から遠くなるほど散乱パターン３０１の密度が高くなる。すなわち、光源部２００から遠くなるほど単位面積当たりの散乱パターン３０１の個数が増加する。例えば、導光板の下面１２０において、ｘ軸の正方向に進むほど、単位面積当たりの散乱パターン３０１の個数が増加する。
【０１３４】
図３３は、図３２に示される実施形態の変形例によるバックライトユニットの底面図である。
【０１３５】
図３３に示したように、図３２に示される実施形態のバックライトユニットの導光板１００の散乱パターン３０１が不規則に配置される点が、図３２の実施形態と異なる点である。前述したように導光板１００の散乱パターン３０１は不規則に配置される。ただし、この場合にも、導光板１００の下面１２０において、第１側面１３０または光源部２００から遠くなる方向、すなわち、ｘ軸の正方向に進むほど、単位面積当たりの散乱パターン３０１の個数が増加する。
【０１３６】
図３４は、図３２に示される実施形態の変形例によるバックライトユニットの底面図である。
【０１３７】
図３４に示したように、図３２に示される実施形態のバックライトユニットの導光板１００の散乱パターン３０１の各々のサイズが異なる点が、図３２に示される実施形態と異なる点である。
【０１３８】
本発明の他の実施形態によるバックライトユニットにおける散乱パターン３０１の各々のサイズは異なる。
【０１３９】
例示的な実施形態では、散乱パターン３０１のサイズはｘ軸の正方向に進むほど大きくなる。言い換えれば、導光板の下面１２０において、第１側面１３０または光源部２００と遠くなる方向に進むほど散乱パターン３０１のサイズが大きくなる。すなわち、導光板の下面１２０において、ｘ軸の正方向に進むほど、単位面積当たりの散乱パターン３０１が占める面積の比率が大きくなる。
【０１４０】
図３５は、図３２に示される実施形態の変形例によるバックライトユニットの底面図である。
【０１４１】
図３２に示される実施形態の変形例によるバックライトユニットの導光板１００の散乱パターン３０１は、ｘ軸と平行な方向に導光板１００の下面１２０の中央を横切る第１中央線Ｃ１に近いほど、単位面積当たりの散乱パターン３０１の個数が増加する点が、図３２に示される実施形態と異なる点である。
【０１４２】
導光板１００の下面１２０の中央を横切る第１中央線Ｃ１が定義される。第１中央線Ｃ１はｘ軸と平行な方向に導光板１００の下面１２０の中央を横切る。導光板１００の下面１２０の単位面積当たりの散乱パターン３０１の個数は第１中央線Ｃ１に近いほど増加する。言い換えると、導光板１００の第１側面１３０及び第２側面１４０と直交する第３側面及び第４側面から導光板１００の下面１２０の中央に進むほど、単位面積当たりの散乱パターン３０１の数が増加する。
【０１４３】
図３６は、本発明の他の実施形態によるバックライトユニットの部分斜視図である。
【０１４４】
図３６に示したように、本発明の他の実施形態によるバックライトユニットの導光板１００の上面１１１が傾斜面を含む点が、図２７に示される実施形態と異なる点である。
【０１４５】
例示的な実施形態では、導光板１００の上面１１１は傾斜面を含み得る。具体的には、導光板１００の上面１１１は、第１側面１３０の上端から水平方向に延長された第１平坦面１１１ａ、第１平坦面１１１ａの第１側面１３０と接しない水平方向の端部から下面１２０に向かって傾斜された傾斜面１１１ｂ、及び傾斜面１１１ｂの第１平坦面１１１ａと接しない水平方向の端部から水平方向に延長される第２平坦面１１１ｃを含み得る。
【０１４６】
第２平坦面１１１ｃの傾斜面１１１ｂと接しない水平方向の端部は第２側面１４０の上端と接する。導光板１００の上面１１０が傾斜面を含む例示的な実施形態では、第１側面１３０のｚ軸方向の長さと第２側面１４０のｚ軸方向の長さは異なる。例えば、第１側面１３０のｚ軸方向の長さが第２側面１４０のｚ軸方向の長さに比べて相対的に大きい場合もある。
【０１４７】
図３７は、本発明の他の実施形態によるバックライトユニットの部分斜視図である。
【０１４８】
図３７に示したように、本発明の他の実施形態によるバックライトユニットの導光板１００の上面１１２に複数の拡散パターン１１２ａが形成される点が、図２７に示される実施形態と異なる点である。
【０１４９】
例示的な実施形態では、導光板１００の上面１１２には複数の拡散パターン１１２ａが形成される。例示的な実施形態では、拡散パターン１１２ａはｘ軸方向に複数配置され、拡散パターン１１２ａの各々はｙ軸方向に延長され得る。例えば、拡散パターン１１２ａの各々はｙ軸方向に延長されたバー形状であり得る。図３７は、拡散パターン１１２ａの各々がｘ軸方向に切断された断面形状が半円形の場合を例示するが、これは例示であり、これに制限されず、拡散パターン１１２ａがｘ軸方向に切断された断面形状は多角形形状であり得る。
【０１５０】
図３８は、本発明の他の実施形態によるバックライトユニットの斜視図である。図３９は、図３８に示されるバックライトユニットの底面図である。図４０は、図３９に示される散乱パターン３０５がＶ−Ｖ’線に沿って切断された断面図である。
【０１５１】
図３８〜図４０に示したように、本発明の他の実施形態によるバックライトユニットは第２側面１４０と隣接する第２光源部２０１をさらに含む点が、図２７に示される実施形態と異なる点である。
【０１５２】
本発明の他の実施形態によるバックライトユニットは二つの光源部を含み得る。具体的には、第１側面１３０と隣接するように第１光源部２００が配置され、第２側面１４０と隣接するように第２光源部２０１が配置され得る。
【０１５３】
第２光源部２０１はベース２２１及びベース２２１の一側面上に形成された少なくとも一つ以上の光源２１１を含み得る。第２光源部２０１は前述した第１光源部２００と実質的に同一であるため、詳しい説明は省略する。
【０１５４】
バックライトユニットが第１光源部２００及び第２光源部２０１を含む例示的な実施形態では、導光板１００の下面１２０の散乱パターン３０５は対称な２つの傾斜面を有する。
【０１５５】
具体的には、第１傾斜面３１６及び第２傾斜面３２６が基準面１２０１と成す第１の角β及び第２の角αの各々の角度が実質的に同一である。すなわち、第１傾斜面３１６の水平距離ｄ５と第２傾斜面３２６の水平距離ｄ６が実質的に同一である。言い換えると、図４０に示すように、第１傾斜面３１６、第２傾斜面３２６及び基準面１２０１の延長線が成す図形は二等辺三角形であり得る。
【０１５６】
図４１は、図３９に示される実施形態の変形例によるバックライトユニットの底面図である。
【０１５７】
図４１に示したように、図３９に示される実施形態のバックライトユニットの導光板１００の下面１２０が第２中央線Ｃ２によって第１領域１２７と第２領域１２８とに分割される点が、図３９に示される実施形態と異なる点である。
【０１５８】
導光板１００の中央をｙ軸方向と平行な方向に通り、導光板１００の下面１２０を両分する第２中央線ｃ２が定義される。具体的には、第２中央線ｃ２により導光板１００の下面１２０は第１領域１２７と第２領域１２８とに分割される。
【０１５９】
第１領域１２７に配置される散乱パターン３０７と第２領域１２８に配置される散乱パターン３０８とは、第２中央線Ｃ２に対して対象に配置される。すなわち、第１領域１２７に配置される散乱パターン３０７は、第２領域１２８に配置される散乱パターン３０８の鏡像であり得る。
【０１６０】
例示的な実施形態では、第１領域１２７に配置される散乱パターン３０７の各々は、第１側面１３０に相対的に近い部分に第２傾斜面が配置され、第２中央線Ｃ２に相対的に近い部分に第１傾斜面が配置され得る。ただし、これは、散乱パターン３０７が基準面１２０１から突出されて形成される場合の例示であり、散乱パターン３０７が陥没されて形成される場合は、第１傾斜面及び第２傾斜面の位置が変わり得る。
【０１６１】
散乱パターン３０７と対応するように、第２領域１２８に配置される散乱パターン３０８は、第２側面１４０に相対的に近い部分に第２傾斜面が配置され、第２中央線Ｃ２に相対的に近い部分に第１傾斜面が配置される。すなわち、散乱パターン３０８の第１傾斜面及び第２傾斜面は、第１領域に配置される散乱パターン３０７と逆に配置され得る。
【０１６２】
図４２は、図４１に示される実施形態の変形例によるバックライトユニットの底面図である。
【０１６３】
図４２に示したように、図４１に示される実施形態のバックライトユニットの単位面積当たりの散乱パターン（３０７、３０８）の数が第２中央線Ｃ２に近いほど増加する点が、図４１に示される実施形態と異なる点である。
【０１６４】
前述したように、散乱パターン（３０７、３０８）の密度は導光板１００の下面１２０の各部分で異なる。例示的な実施形態では、散乱パターン（３０７、３０８）の密度は、第１側面１３０及び第２側面１４０から第２中央線に進むほど高くなる。すなわち、第１側面１３０においては第２中央線に、第２側面１４０においては第２中央線に進むほど、単位面積当たりの散乱パターン（３０７、３０８）の個数が増加する。
【０１６５】
図４３は、本発明の一実施形態による液晶表示装置の分解斜視図である。図４３に示したように、本発明の一実施形態による液晶表示装置１０００は、バックライトユニット及びバックライトユニットの上方に配置される表示パネル１６０を含み、バックライトユニットは、ｘ軸方向に延長される第１の辺及びｙ軸方向に延長される第２の辺を含む上面１１０と、上面１１０と対向するように配置される下面１２０と、上面１１０と下面１２０との間に互いに対向して配置される第１側面１３０及び第２側面１４０とを含み、下面１２０は、基準面１２０１及び基準面１２０１から突出または陥没されて形成された複数の散乱パターン３００を含み、散乱パターン３００は、基準面１２０１と第１の角βを成す第１傾斜面３１０及び一端が第１傾斜面３１０と接し、基準面１２０１と第２の角αを成す第２傾斜面３２０を含む導光板１００、導光板１００の一側面と隣接するように配置される光源部２００、ならびに導光板１００の上方に配置され、導光板の上面１１０と対向する複数のプリズムを備えるプリズムシート４００を含む。
【０１６６】
バックライトユニットは前述した本発明のいくつかの実施形態によるバックライトユニットと実質的に同一である。したがって、バックライトユニットについての詳細な説明は省略する。
【０１６７】
本発明の一実施形態による液晶表示装置１０００は、表示パネル１６０、トップシャーシ１５０及びバータームシャーシ１５２などをさらに含み得る。本発明による一実施形態による液晶表示装置１０００を具体的に説明すると以下の通りである。
【０１６８】
表示パネル１６０は、表示領域及び非表示領域を含む。また、表示パネル１６０は、第１基板１６２、第１基板１６２に対向する第２基板１６１、液晶層（図示せず）ならびに第１基板１６２に付着された駆動部１６４及び印刷回路基板１６７を含み得る。
【０１６９】
表示パネル１６０の表示領域は画像が表示される領域を意味し、表示パネル１６０の非表示領域は画像が表示されない領域を意味する。例示的な実施形態では、表示領域は第１基板１６２と第２基板１６１とが重なる領域の中央の部分に位置し、非表示領域は第１基板１６２と第２基板１６１とが重なる領域の縁の部分に位置する。また、表示領域は表示パネル１６０とトップシャーシ１５０とが重ならない領域であり得、非表示領域は表示パネル１６０とトップシャーシ１５０とが重なる領域であり得る。また、表示領域の形状は第２基板１６１の形状と類似するが、表示領域の面積は、第２基板１６１の面積よりも小さい場合もある。また、表示領域と非表示領域との境界線は、表示領域及び非表示領域の各々に対向する第２基板１６１の各辺と平行である。また、表示領域と非表示領域との境界線が成す形状は四角形形状である。
【０１７０】
第１基板１６２の少なくとも一部は第２基板１６１と重なる。第１基板１６２と第２基板１６１とが重なる領域の中央の部分が表示領域であり得、第１基板１６２と第２基板１６１とが重なる領域の縁の部分が非表示領域であり得る。第１基板１６２と第２基板１６１とが重ならない領域には駆動部１６４及び印刷回路基板１６７が付着されている。
【０１７１】
第２基板１６１は第１基板１６２に対向して配置される。第１基板１６２と第２基板１６１との間には液晶層が介在する。第１基板１６２と第２基板１６１との間にはシーラントなどのようなシーリング部材が、第１基板１６２及び第２基板１６１の縁の部分に沿って配置され、第１基板１６２と第２基板１６１とを接着させて密封し得る。
【０１７２】
第１基板１６２及び第２基板１６１は直六面体形状であり得る。説明の便宜上、第１基板１６２及び第２基板１６１の形状を直六面体で示すが、これに限定されず、第１基板１６２及び第２基板１６１は、表示パネル１６０の形状によって、多様な形状で製造され得る。
【０１７３】
駆動部１６４は、表示領域で画像を表示するために必要な駆動信号などの多様な信号を印加する。印刷回路基板１６７は駆動部１６４に各種信号を出力する。
【０１７４】
表示パネル１６０の下方には光学シート１２６、バックライトユニット及びバータームシャーシ１５２が配置される。バックライトユニットを基準に位置関係について説明すると、バックライトユニットの上方には光学シート１２６が配置され、バックライトユニットの下方にはバータームシャーシ１５２が配置される。
【０１７５】
バックライトユニットの上方には、光の光学的特性を変調する少なくとも一つの光学シート１２６及びこれらを収納する型枠１５１が配置される。
【０１７６】
ここで、型枠１５１は、表示パネル１６０の下方の面の縁の部分と接触し、表示パネル１６０を支持して固定させる。例示的な実施形態では、表示パネル１６０の下方の面の縁の部分は表示パネル１６０の非表示領域であり得る。すなわち、型枠１５１の少なくとも一部は表示パネル１６０の非表示領域と重なる。
【０１７７】
トップシャーシ１５０は、表示パネル１６０の縁を覆い、表示パネル１６０の側面を囲む。バータームシャーシ１５２は光学シート１２６及びバックライトユニット３００を収納する。トップシャーシ１５０及びバータームシャーシ１５２は導電性を有する物質、例えば金属からなる。
【０１７８】
以上説明したように、本発明の一実施形態によれば、光源部２００によって照射される光が液晶表示装置の正面に向かうように誘導することにより、正面出光輝度を向上させることが可能な導光板、バックライトユニット及び液晶表示装置が提供される。
【０１７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１８０】
１００    導光板
１１０、１１１    上面
１２０    下面
１２０１  基準面
１３０    第１側面
１４０    第２側面
１５０    トップシャーシ
１５１    型枠
１５２    バータームシャーシ
１６０    表示パネル
２００    光源部
２１０    光源
２２０    ベース
３００、３０１、３０２、３０３、３０４、３０５、３０７、３０８    散乱パターン
３１０、３１１、３１２、３１３、３１４、３１５  第１傾斜面
３２０、３２１、３２２、３２３、３２４、３２５  第２傾斜面
４００    プリズムシート
４１０    プリズム
１０００  液晶表示装置
【図１】
2015118906.tif 000004
【図２】
2015118906.tif 000005
【図３】
2015118906.tif 000006
【図４】
2015118906.tif 000007
【図５】
2015118906.tif 000008
【図６】
2015118906.tif 000009
【図７】
2015118906.tif 000010
【図８】
2015118906.tif 000011
【図９】
2015118906.tif 000012
【図１０】
2015118906.tif 000013
【図１１】
2015118906.tif 000014
【図１２】
2015118906.tif 000015
【図１３】
2015118906.tif 000016
【図１４】
2015118906.tif 000017
【図１５】
2015118906.tif 000018
【図１６】
2015118906.tif 000019
【図１７】
2015118906.tif 000020
【図１８】
2015118906.tif 000021
【図１９】
2015118906.tif 000022
【図２０】
2015118906.tif 000023
【図２１】
2015118906.tif 000024
【図２２】
2015118906.tif 000025
【図２３】
2015118906.tif 000026
【図２４】
2015118906.tif 000027
【図２５】
2015118906.tif 000028
【図２６】
2015118906.tif 000029
【図２７】
2015118906.tif 000030
【図２８】
2015118906.tif 000031
【図２９】
2015118906.tif 000032
【図３０】
2015118906.tif 000033
【図３１】
2015118906.tif 000034
【図３２】
2015118906.tif 000035
【図３３】
2015118906.tif 000036
【図３４】
2015118906.tif 000037
【図３５】
2015118906.tif 000038
【図３６】
2015118906.tif 000039
【図３７】
2015118906.tif 000040
【図３８】
2015118906.tif 000041
【図３９】
2015118906.tif 000042
【図４０】
2015118906.tif 000043
【図４１】
2015118906.tif 000044
【図４２】
2015118906.tif 000045
【図４３】
2015118906.tif 000046